(57)【特許請求の範囲】
【請求項１】
直接的な端末間通信であるＤ２Ｄ通信をサポートする移動通信システムであって、
セルラ通信ネットワークとの第１の接続を介して第１の制御信号を受信し、前記第１の制御信号に基づいて近傍無線端末との前記Ｄ２Ｄ通信を行う無線通信装置を備え、
前記無線通信装置は、
前記セルラ通信ネットワークとは異なる所定通信ネットワークとの第２の接続を介して、前記近傍無線端末宛ての下りリンクユーザデータを受信するネットワークインターフェイスと、
前記下りリンクユーザデータを、前記Ｄ２Ｄ通信により前記近傍無線端末に送信するＤ２Ｄデータ中継を行う制御部と、を有し、
前記Ｄ２Ｄ通信に割り当て可能なＤ２Ｄ無線リソースは、前記移動通信システムに割り当てられた上りリンク無線リソースの一部であり、
前記セルラ通信ネットワークは、前記上りリンク無線リソースのうち前記Ｄ２Ｄ無線リソースが占める割合を変更するネットワーク装置を備えることを特徴とする移動通信システム。
【請求項２】
前記制御部は、前記Ｄ２Ｄデータ中継時において、前記近傍無線端末から受信した上りリンクユーザデータを、前記第２の接続を介して送信することを特徴とする請求項１に記載の移動通信システム。
【請求項３】
前記第１の制御信号は、前記Ｄ２Ｄ無線リソースの中から前記無線通信装置に割り当てる無線リソースを示す割り当て情報を含むことを特徴とする請求項１に記載の移動通信システム。
【請求項４】
前記無線通信装置は、前記第１の接続を介して前記ネットワーク装置に第２の制御信号を送信し、
前記ネットワーク装置は、前記第２の制御信号の受信に応じて、前記割り当て情報を含んだ前記第１の制御信号を前記無線通信装置に送信しており、
前記第２の制御信号は、前記Ｄ２Ｄ通信のための無線リソースの割り当てを要求するＤ２Ｄスケジューリング要求、又は、前記Ｄ２Ｄ通信における送信待ちのユーザデータ量を示すＤ２Ｄバッファ状態報告を含むことを特徴とする請求項１に記載の移動通信システム。
【請求項５】
前記移動通信システムがＦＤＤ通信システムである場合に、前記上りリンク無線リソースは、前記移動通信システムに割り当てられた上りリンク周波数帯であることを特徴とする請求項１に記載の移動通信システム。
【請求項６】
前記ネットワーク装置は、前記セルラ通信ネットワークにおける負荷状況、前記Ｄ２Ｄ通信を行う無線通信装置の数、のうち少なくとも１つに基づいて、前記上りリンク無線リソースにおける前記Ｄ２Ｄ無線リソースの量を変更することを特徴とする請求項１に記載の移動通信システム。
【請求項７】
前記セルラ通信ネットワークは、無線アクセスネットワーク及びコアネットワークを含み、
前記無線アクセスネットワークは、基地局を含み、
前記コアネットワークは、サービングゲートウェイを含み、
前記制御部は、前記無線通信装置と前記サービングゲートウェイとの間に、又は、前記無線通信装置と前記基地局との間に、前記ユーザデータを転送するための論理的な通信路を確立することを特徴とする請求項１に記載の移動通信システム。
【請求項８】
前記制御部は、前記Ｄ２Ｄデータ中継を開始するよりも前において、前記無線通信装置と関連付けられた装置情報、前記無線通信装置のユーザと関連付けられたユーザ情報、のうち少なくとも１つに基づいて、前記Ｄ２Ｄデータ中継の可否に関する通知情報を前記ネットワーク装置に送信することを特徴とする請求項１に記載の移動通信システム。
【請求項９】
前記装置情報は、前記第２の接続に関する接続状況、電源に対する前記無線通信装置の接続状況、前記無線通信装置のバッテリ残量、前記無線通信装置の移動状況、のうち少なくとも１つであることを特徴とする請求項８に記載の移動通信システム。
【請求項１０】
前記ユーザ情報は、前記Ｄ２Ｄデータ中継に対する同意情報、手動操作による前記Ｄ２Ｄデータ中継のオン／オフ状況、のうち少なくとも１つであることを特徴とする請求項８に記載の移動通信システム。
【請求項１１】
前記通知情報を受信した前記ネットワーク装置は、前記通知情報に基づいて、前記近傍無線端末のデータパスを、前記セルラ通信ネットワークを経由する第１のデータパスから前記無線通信装置を経由する第２のデータパスへ切り替えるか否かを判断することを特徴とする請求項８に記載の移動通信システム。
【請求項１２】
前記データパスを切り替えると判断した前記ネットワーク装置は、前記Ｄ２Ｄ通信のための発見処理を開始させるための設定情報を前記無線通信装置及び前記近傍無線端末のうち少なくとも一方に送信することを特徴とする請求項１１に記載の移動通信システム。
【請求項１３】
前記制御部は、前記Ｄ２Ｄ通信のための発見処理において発見用信号を送信し、
前記発見用信号は、前記Ｄ２Ｄデータ中継が可能であることを示す情報を含むことを特徴とする請求項１に記載の移動通信システム。
【請求項１４】
直接的な端末間通信であるＤ２Ｄ通信をサポートする移動通信システムにおいて、セルラ通信ネットワークとの第１の接続を介して第１の制御信号を受信し、前記第１の制御信号に基づいて近傍無線端末との前記Ｄ２Ｄ通信を行う無線通信装置であって、
前記セルラ通信ネットワークとは異なる所定通信ネットワークとの第２の接続を介して、前記近傍無線端末宛ての下りリンクユーザデータを受信するネットワークインターフェイスと、
前記下りリンクユーザデータを、前記Ｄ２Ｄ通信により前記近傍無線端末に送信するＤ２Ｄデータ中継を行う制御部と、を有し、
前記Ｄ２Ｄ通信に割り当て可能なＤ２Ｄ無線リソースは、前記移動通信システムに割り当てられた上りリンク無線リソースの一部であり、
前記上りリンク無線リソースのうち前記Ｄ２Ｄ無線リソースが占める割合が変更されることを特徴とする無線通信装置。
【請求項１５】
直接的な端末間通信であるＤ２Ｄ通信をサポートする移動通信システムにおいて、セルラ通信ネットワークに設けられるネットワーク装置であって、
セルラ通信ネットワークとの第１の接続を介して第１の制御信号を受信し、前記第１の制御信号に基づいて近傍無線端末との前記Ｄ２Ｄ通信を行う無線通信装置に対して、前記Ｄ２Ｄ通信のための無線リソースを割り当てる制御部を備え、
前記Ｄ２Ｄ通信は、前記セルラ通信ネットワークとは異なる所定通信ネットワークとの第２の接続を介して前記無線通信装置が受信する下りリンクユーザデータを、前記無線通信装置から前記近傍無線端末に送信するＤ２Ｄデータ中継を行うために使用されており、
前記Ｄ２Ｄ通信に割り当て可能なＤ２Ｄ無線リソースは、前記移動通信システムに割り当てられた上りリンク無線リソースの一部であり、
前記制御部は、前記上りリンク無線リソースのうち前記Ｄ２Ｄ無線リソースが占める割合を変更することを特徴とするネットワーク装置。
【請求項１６】
直接的な端末間通信であるＤ２Ｄ通信をサポートする移動通信システムであって、
基地局から第１の制御信号を受信し、前記第１の制御信号に基づいて近傍無線端末との前記Ｄ２Ｄ通信を行う、移動可能な無線端末を備え、
前記無線端末は、
前記第１の制御信号を受信した際の前記基地局とは異なる所定装置との接続を介して、前記近傍無線端末宛ての下りリンクユーザデータを受信するネットワークインターフェイスと、
前記下りリンクユーザデータを、前記Ｄ２Ｄ通信により前記近傍無線端末に送信するＤ２Ｄデータ中継を行う制御部と、を有することを特徴とする移動通信システム。
【請求項１７】
前記末端での接続とは、前記無線端末と、当該無線端末と直接的に接続されている装置との間の接続であることを特徴とする請求項１６に記載の移動通信システム。
【請求項１８】
前記ネットワークインターフェイスは、前記直接的に接続する装置を変更可能であることを特徴とする請求項１７に記載の移動通信システム。
【請求項１９】
前記末端での接続とは、無線による接続であることを特徴とする請求項１６に記載の移動通信システム。
【請求項２０】
前記末端での接続とは、前記基地局とは異なる基地局との接続であることを特徴とする請求項１６に記載の移動通信システム。
【請求項２１】
前記無線端末は、前記ネットワークインターフェイスによって前記末端での接続を確立した場合、前記Ｄ２Ｄデータ中継を行うことが可能であることを示す通知情報を送信することを特徴とする請求項１６に記載の移動通信システム。
【請求項２２】
基地局から第１の制御信号を受信し、前記第１の制御信号に基づいて近傍無線端末との直接的な端末間通信であるＤ２Ｄ通信を行う、移動可能な無線端末であって、
前記第１の制御信号を受信した際の前記基地局とは異なる所定装置との接続を介して、前記近傍無線端末宛ての下りリンクユーザデータを受信するネットワークインターフェイスと、
前記下りリンクユーザデータを、前記Ｄ２Ｄ通信により前記近傍無線端末に送信するＤ２Ｄデータ中継を行う制御部と、を有することを特徴とする無線端末。
【発明の詳細な説明】
【技術分野】
【０００１】
本発明は、Ｄ２Ｄ通信をサポートする移動通信システム、当該移動通信システムにおいて用いられる無線通信装置、ネットワーク装置、及び無線端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。【０００３】
Ｄ２Ｄ通信では、近接する複数の無線端末がセルラ通信ネットワークを介さずに直接的な端末間通信を行う。一方、移動通信システムの通常の通信であるセルラ通信では、無線端末がセルラ通信ネットワークを介して通信を行う。Ｄ２Ｄ通信は、セルラ通信に比べて、無線端末の消費電力の削減及びセルラ通信ネットワークのトラフィック負荷の削減が期待できる。
【先行技術文献】
【非特許文献】
【０００４】
【非特許文献１】３ＧＰＰ技術報告書  「ＴＲ  ２２．８０３  Ｖ１２．２．０」  ２０１３年６月
【発明の概要】
【０００５】
しかしながら、Ｄ２Ｄ通信は、近接する無線端末間でのみ利用可能であって、その用途（ユースケース）が限定されている。
【０００６】
従って、Ｄ２Ｄ通信によりセルラ通信ネットワークのトラフィック負荷を削減することは、実際には困難であると考えられる。
【０００７】
そこで、本発明は、Ｄ２Ｄ通信を活用してセルラ通信ネットワークのトラフィック負荷を削減可能とすることを目的とする。
【０００８】
第１の特徴に係る移動通信システムは、直接的な端末間通信であるＤ２Ｄ通信をサポートする。前記移動通信システムは、セルラ通信ネットワークとの第１の接続を介して第１の制御信号を受信し、前記第１の制御信号に基づいて近傍無線端末との前記Ｄ２Ｄ通信を行う無線通信装置を備える。前記無線通信装置は、前記第１の接続とは異なる第２の接続を介して、前記近傍無線端末宛ての下りリンクユーザデータを受信するネットワークインターフェイスと、前記下りリンクユーザデータを、前記Ｄ２Ｄ通信により前記近傍無線端末に送信するＤ２Ｄデータ中継を行う制御部と、を有する。前記Ｄ２Ｄ通信に割り当て可能なＤ２Ｄ無線リソースは、前記移動通信システムに割り当てられた上りリンク無線リソースの一部である。前記セルラ通信ネットワークは、前記上りリンク無線リソースのうち前記Ｄ２Ｄ無線リソースが占める割合を変更するネットワーク装置を備える。
【０００９】
第２の特徴に係る無線通信装置は、直接的な端末間通信であるＤ２Ｄ通信をサポートする移動通信システムにおいて、セルラ通信ネットワークとの第１の接続を介して第１の制御信号を受信し、前記第１の制御信号に基づいて近傍無線端末との前記Ｄ２Ｄ通信を行う。前記無線通信装置は、前記第１の接続とは異なる第２の接続を介して、前記近傍無線端末宛ての下りリンクユーザデータを受信するネットワークインターフェイスと、前記下りリンクユーザデータを、前記Ｄ２Ｄ通信により前記近傍無線端末に送信するＤ２Ｄデータ中継を行う制御部と、を有する。前記Ｄ２Ｄ通信に割り当て可能なＤ２Ｄ無線リソースは、前記移動通信システムに割り当てられた上りリンク無線リソースの一部であり、前記上りリンク無線リソースのうち前記Ｄ２Ｄ無線リソースが占める割合が変更される。
【００１０】
第３の特徴に係るネットワーク装置は、直接的な端末間通信であるＤ２Ｄ通信をサポートする移動通信システムにおいて、セルラ通信ネットワークに設けられる。前記ネットワーク装置は、セルラ通信ネットワークとの第１の接続を介して第１の制御信号を受信し、前記第１の制御信号に基づいて近傍無線端末との前記Ｄ２Ｄ通信を行う無線通信装置に対して、前記Ｄ２Ｄ通信のための無線リソースを割り当てる制御部を備える。前記Ｄ２Ｄ通信は、前記第１の接続とは異なる第２の接続を介して前記無線通信装置が受信する下りリンクユーザデータを、前記無線通信装置から前記近傍無線端末に送信するＤ２Ｄデータ中継を行うために使用される。前記Ｄ２Ｄ通信に割り当て可能なＤ２Ｄ無線リソースは、前記移動通信システムに割り当てられた上りリンク無線リソースの一部である。前記制御部は、前記上りリンク無線リソースのうち前記Ｄ２Ｄ無線リソースが占める割合を変更する。
【００１１】
第４の特徴に係る移動通信システムは、直接的な端末間通信であるＤ２Ｄ通信をサポートする。前記移動通信システムは、基地局から第１の制御信号を受信し、前記第１の制御信号に基づいて近傍無線端末との前記Ｄ２Ｄ通信を行う、移動可能な無線端末を備える。前記無線端末は、前記第１の制御信号を受信した際の前記基地局との接続とは異なる、末端での接続を介して、前記近傍無線端末宛ての下りリンクユーザデータを受信するネットワークインターフェイスと、前記下りリンクユーザデータを、前記Ｄ２Ｄ通信により前記近傍無線端末に送信するＤ２Ｄデータ中継を行う制御部と、を有する。
【００１２】
第５の特徴に係る無線端末は、基地局から第１の制御信号を受信し、前記第１の制御信号に基づいて近傍無線端末との直接的な端末間通信であるＤ２Ｄ通信を行う、移動可能な無線端末である。前記無線端末は、前記第１の制御信号を受信した際の前記基地局との接続とは異なる、末端での接続を介して、前記近傍無線端末宛ての下りリンクユーザデータを受信するネットワークインターフェイスと、前記下りリンクユーザデータを、前記Ｄ２Ｄ通信により前記近傍無線端末に送信するＤ２Ｄデータ中継を行う制御部と、を有する。
【図面の簡単な説明】
【００１３】
【図１】実施形態に係るＬＴＥシステムの構成図である。
【図２】実施形態に係るＵＥのブロック図である。
【図３】実施形態に係るｅＮＢのブロック図である。
【図４】実施形態に係る無線インターフェイスのプロトコルスタック図である。
【図５】実施形態に係る無線フレームの構成図である。
【図６】実施形態に係る動作を説明するための図である。
【図７】実施形態に係る動作具体例を示すシーケンス図である。
【図８】実施形態の変更例に係る動作を説明するための図である。
【図９】実施形態の変更例に係る動作を示すシーケンス図である。
【発明を実施するための形態】
【００１４】
［実施形態の概要］
実施形態に係る移動通信システムは、直接的な端末間通信であるＤ２Ｄ通信をサポートする。前記移動通信システムは、セルラ通信ネットワークとの第１の接続を介して第１の制御信号を受信し、前記第１の制御信号に基づいて近傍無線端末との前記Ｄ２Ｄ通信を行う無線通信装置を備える。前記無線通信装置は、前記第１の接続とは異なる第２の接続を介して、前記近傍無線端末宛ての下りリンクユーザデータを受信するネットワークインターフェイスと、前記下りリンクユーザデータを、前記Ｄ２Ｄ通信により前記近傍無線端末に送信するＤ２Ｄデータ中継を行う制御部と、を有する。前記Ｄ２Ｄ通信に割り当て可能なＤ２Ｄ無線リソースは、前記移動通信システムに割り当てられた上りリンク無線リソースの一部である。前記セルラ通信ネットワークは、前記上りリンク無線リソースのうち前記Ｄ２Ｄ無線リソースが占める割合を変更するネットワーク装置を備える。
【００１５】
実施形態では、前記制御部は、前記Ｄ２Ｄデータ中継時において、前記近傍無線端末から受信した上りリンクユーザデータを、前記第２の接続を介して送信する。
【００１６】
実施形態では、前記第１の制御信号は、前記Ｄ２Ｄ無線リソースの中から前記無線通信装置に割り当てる無線リソースを示す割り当て情報を含む。
【００１７】
実施形態では、前記無線通信装置は、前記第１の接続を介して前記ネットワーク装置に第２の制御信号を送信する。前記ネットワーク装置は、前記第２の制御信号の受信に応じて、前記割り当て情報を含んだ前記第１の制御信号を前記無線通信装置に送信する。前記第２の制御信号は、前記Ｄ２Ｄ通信のための無線リソースの割り当てを要求するＤ２Ｄスケジューリング要求、又は、前記Ｄ２Ｄ通信における送信待ちのユーザデータ量を示すＤ２Ｄバッファ状態報告を含む。
【００１８】
実施形態では、前記移動通信システムがＦＤＤ通信システムである場合に、前記上りリンク無線リソースは、前記移動通信システムに割り当てられた上りリンク周波数帯である。
【００１９】
実施形態では、前記ネットワーク装置は、前記セルラ通信ネットワークにおける負荷状況、前記Ｄ２Ｄ通信を行う無線通信装置の数、のうち少なくとも１つに基づいて、前記上りリンク無線リソースにおける前記Ｄ２Ｄ無線リソースの量を変更する。
【００２０】
実施形態では、前記セルラ通信ネットワークは、無線アクセスネットワーク及びコアネットワークを含む。前記無線アクセスネットワークは、基地局を含み、前記コアネットワークは、サービングゲートウェイを含む。前記制御部は、前記無線通信装置と前記サービングゲートウェイとの間に、又は、前記無線通信装置と前記基地局との間に、前記ユーザデータを転送するための論理的な通信路を確立する。
【００２１】
実施形態では、前記制御部は、前記Ｄ２Ｄデータ中継を開始するよりも前において、前記無線通信装置と関連付けられた装置情報、前記無線通信装置のユーザと関連付けられたユーザ情報、のうち少なくとも１つに基づいて、前記Ｄ２Ｄデータ中継の可否に関する通知情報を前記ネットワーク装置に送信する。
【００２２】
実施形態では、前記装置情報は、前記第２の接続に関する接続状況、電源に対する前記無線通信装置の接続状況、前記無線通信装置のバッテリ残量、前記無線通信装置の移動状況、のうち少なくとも１つである。
【００２３】
実施形態では、前記ユーザ情報は、前記Ｄ２Ｄデータ中継に対する同意情報、手動操作による前記Ｄ２Ｄデータ中継のオン／オフ状況、のうち少なくとも１つである。
【００２４】
実施形態では、前記通知情報を受信した前記ネットワーク装置は、前記通知情報に基づいて、前記近傍無線端末のデータパスを、前記セルラ通信ネットワークを経由する第１のデータパスから前記無線通信装置を経由する第２のデータパスへ切り替えるか否かを判断する。
【００２５】
実施形態では、前記データパスを切り替えると判断した前記ネットワーク装置は、前記Ｄ２Ｄ通信のための発見処理を開始させるための設定情報を前記無線通信装置及び前記近傍無線端末のうち少なくとも一方に送信する。
【００２６】
実施形態では、前記制御部は、前記Ｄ２Ｄ通信のための発見処理において発見用信号を送信する。前記発見用信号は、前記Ｄ２Ｄデータ中継が可能であることを示す情報を含む。
【００２７】
実施形態に係る無線通信装置は、直接的な端末間通信であるＤ２Ｄ通信をサポートする移動通信システムにおいて、セルラ通信ネットワークとの第１の接続を介して第１の制御信号を受信し、前記第１の制御信号に基づいて近傍無線端末との前記Ｄ２Ｄ通信を行う。前記無線通信装置は、前記第１の接続とは異なる第２の接続を介して、前記近傍無線端末宛ての下りリンクユーザデータを受信するネットワークインターフェイスと、前記下りリンクユーザデータを、前記Ｄ２Ｄ通信により前記近傍無線端末に送信するＤ２Ｄデータ中継を行う制御部と、を有する。前記Ｄ２Ｄ通信に割り当て可能なＤ２Ｄ無線リソースは、前記移動通信システムに割り当てられた上りリンク無線リソースの一部であり、前記上りリンク無線リソースのうち前記Ｄ２Ｄ無線リソースが占める割合が変更される。
【００２８】
実施形態に係るネットワーク装置は、直接的な端末間通信であるＤ２Ｄ通信をサポートする移動通信システムにおいて、セルラ通信ネットワークに設けられる。前記ネットワーク装置は、セルラ通信ネットワークとの第１の接続を介して第１の制御信号を受信し、前記第１の制御信号に基づいて近傍無線端末との前記Ｄ２Ｄ通信を行う無線通信装置に対して、前記Ｄ２Ｄ通信のための無線リソースを割り当てる制御部を備える。前記Ｄ２Ｄ通信は、前記第１の接続とは異なる第２の接続を介して前記無線通信装置が受信する下りリンクユーザデータを、前記無線通信装置から前記近傍無線端末に送信するＤ２Ｄデータ中継を行うために使用される。前記Ｄ２Ｄ通信に割り当て可能なＤ２Ｄ無線リソースは、前記移動通信システムに割り当てられた上りリンク無線リソースの一部である。前記制御部は、前記上りリンク無線リソースのうち前記Ｄ２Ｄ無線リソースが占める割合を変更する。
【００２９】
実施形態に係る移動通信システムは、直接的な端末間通信であるＤ２Ｄ通信をサポートする。前記移動通信システムは、基地局から第１の制御信号を受信し、前記第１の制御信号に基づいて近傍無線端末との前記Ｄ２Ｄ通信を行う、移動可能な無線端末を備える。前記無線端末は、前記第１の制御信号を受信した際の前記基地局との接続とは異なる、末端での接続を介して、前記近傍無線端末宛ての下りリンクユーザデータを受信するネットワークインターフェイスと、前記下りリンクユーザデータを、前記Ｄ２Ｄ通信により前記近傍無線端末に送信するＤ２Ｄデータ中継を行う制御部と、を有する。
【００３０】
実施形態では、前記末端での接続とは、前記無線端末と、当該無線端末と直接的に接続されている装置との間の接続である。
【００３１】
実施形態では、前記ネットワークインターフェイスは、前記直接的に接続する装置を変更可能である。
【００３２】
実施形態では、前記末端での接続とは、無線による接続である。
【００３３】
実施形態では、前記末端での接続とは、前記基地局とは異なる基地局との接続である。
【００３４】
実施形態では、前記無線端末は、前記ネットワークインターフェイスによって前記末端での接続を確立した場合、前記Ｄ２Ｄデータ中継を行うことが可能であることを示す通知情報を送信する。
【００３５】
実施形態に係る無線端末は、基地局から第１の制御信号を受信し、前記第１の制御信号に基づいて近傍無線端末との直接的な端末間通信であるＤ２Ｄ通信を行う、移動可能な無線端末である。前記無線端末は、前記第１の制御信号を受信した際の前記基地局との接続とは異なる、末端での接続を介して、前記近傍無線端末宛ての下りリンクユーザデータを受信するネットワークインターフェイスと、前記下りリンクユーザデータを、前記Ｄ２Ｄ通信により前記近傍無線端末に送信するＤ２Ｄデータ中継を行う制御部と、を有する。
【００３６】
［実施形態］
以下において、本発明をＬＴＥシステムに適用する場合の実施形態を説明する。
【００３７】
（システム構成）
図１は、実施形態に係る移動通信システムの構成図である。図１に示すように、実施形態に係る移動通信システムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３８】
ＵＥ１００は、無線端末に相当する。ＵＥ１００は、移動可能な無線通信装置であり、接続先のセル（サービングセル）との無線通信を行う。ＵＥ１００の構成については後述する。
【００３９】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００４０】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００４１】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００４２】
実施形態では、Ｅ−ＵＴＲＡＮ１０（無線アクセスネットワーク）及びＥＰＣ２０（コアネットワーク）によりセルラ通信ネットワークが構成される。
【００４３】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、プロセッサ１６０、及びネットワークインターフェイス１７０を備える。メモリ１５０及びプロセッサ１６０は、ＵＥ１００の制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４４】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００４５】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４６】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４７】
ネットワークインターフェイス１７０は、セルラ通信ネットワークとは異なる所定ネットワーク（所定装置）と有線又は無線により接続される。実施形態では、ネットワークインターフェイス１７０が接続するネットワークは、有線通信ネットワークである。有線通信ネットワークは、光回線ネットワーク、イーサネット（登録商標）回線ネットワーク、ＣＡＴＶ回線ネットワーク、若しくは電話回線ネットワーク、又はこれらの組み合わせである。
【００４８】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。メモリ２３０及びプロセッサ２４０は、ｅＮＢ２００の制御部を構成する。
【００４９】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００５０】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００５１】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５２】
図４は、移動通信システムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００５３】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００５４】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するケジューラを含む。
【００５５】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００５６】
ＰＤＣＰ層は、ヘッダ圧縮・伸張、及び暗号化・復号化を行う。
【００５７】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はコネクティッド状態であり、そうでない場合、ＵＥ１００はアイドル状態である。
【００５８】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５９】
図５は、移動通信システムで使用される無線フレームの構成図である。移動通信システムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。複信方式としては、ＦＤＤ（Ｆｒｅｑｕｅｎｃｙ  Ｄｉｖｉｓｉｏｎ  Ｄｕｐｌｅｘ）又はＴＤＤ（Ｔｉｍｅ  Ｄｉｖｉｓｉｏｎ  Ｄｕｐｌｅｘ）が適用されるが、実施形態では主としてＦＤＤを想定する。
【００６０】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００６１】
ＵＥ１００に割り当てられる無線リソースのうち、周波数リソースはリソースブロックにより構成され、時間リソースはサブフレーム（又はスロット）により構成される。
【００６２】
下りリンクにおいて、各サブフレームの先頭数シンボルの区間は、主に下りリンク制御信号を伝送するための物理下りリンク制御チャネル（ＰＤＣＣＨ）として使用される領域である。また、各サブフレームの残りの部分は、主に下りリンクユーザデータを伝送するための物理下りリンク共有チャネル（ＰＤＳＣＨ）として使用できる領域である。
【００６３】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクユーザデータを伝送するための物理上りリンク共有チャネル（ＰＵＳＣＨ）として使用できる領域である。
【００６４】
（Ｄ２Ｄ通信）
実施形態に係る移動通信システムは、直接的な端末間通信（ＵＥ間通信）であるＤ２Ｄ通信をサポートする。ここでは、Ｄ２Ｄ通信を、移動通信システムの通常の通信であるセルラ通信と比較して説明する。
【００６５】
セルラ通信は、データパスがセルラ通信ネットワーク（Ｅ−ＵＴＲＡＮ１０、ＥＰＣ２０）を経由する通信形態である。データパスとは、ユーザデータの伝送経路である。
【００６６】
これに対し、Ｄ２Ｄ通信は、ＵＥ間に設定されるデータパスがネットワークを経由しない通信形態である。相互に近接する複数のＵＥ１００は、低送信電力で直接的にユーザデータを送受信する。近接するＵＥ間で無線通信を行うことから、高速な通信が実現可能である。
【００６７】
実施形態では、Ｄ２Ｄ通信には、移動通信システムに割り当てられた上りリンク周波数帯の少なくとも一部が利用される。また、Ｄ２Ｄ通信とセルラ通信との間の干渉を回避するために、移動通信システムに割り当てられた上りリンク周波数帯において、Ｄ２Ｄ通信に割り当て可能な無線リソース（Ｄ２Ｄ無線リソース）は、セルラ上りリンク通信に割り当て可能な無線リソースとは別に確保される。Ｄ２Ｄ無線リソースは、Ｄ２Ｄリソースプールと称されてもよい。
【００６８】
Ｄ２Ｄ通信を可能とするために、ＵＥ１００は、近傍ＵＥを探索する端末発見処理（Ｄｉｓｃｏｖｅｒｙ処理）を行ってもよい。Ｄｉｓｃｏｖｅｒｙ処理は、近傍ＵＥとの同期を確立した上で、近傍ＵＥを識別（発見）する処理である。Ｄｉｓｃｏｖｅｒｙ処理においては、近傍ＵＥとの同期を確立するための同期信号が送受信される。また、Ｄｉｓｃｏｖｅｒｙ処理においては、近傍ＵＥを識別（発見）するための発見用信号（Ｄｉｓｃｏｖｅｒｙ信号）が送受信されてもよい。
【００６９】
（実施形態に係る動作）
図６は、実施形態に係る動作を説明するための図である。図６に示すように、実施形態に係る移動通信システムでは、セルラ通信ネットワーク（Ｅ−ＵＴＲＡＮ１０、ＥＰＣ２０）に加えて、セルラ通信ネットワークとは異なる有線通信ネットワーク４０を利用する。
【００７０】
有線通信ネットワーク４０は、インターネット３０と接続されている。また、インターネット３０には、ＥＰＣ２０も接続されている。さらに、インターネット３０には、アプリケーションサーバ３１が接続されている。アプリケーションサーバ３１は、例えばＷｅｂサーバ又は映像配信サーバなどである。
【００７１】
ｅＮＢ２００は、セルを管理する。ｅＮＢ２００のセル内にＵＥ１００−１及びＵＥ１００−２が在圏している。ＵＥ１００−１及びＵＥ１００−２は、相互に近接しており、Ｄ２Ｄ通信を行う。なお、以下において、ＵＥ１００−１及びＵＥ１００−２を特に区別しない場合には、単にＵＥ１００と表記する。
【００７２】
また、ＵＥ１００は、ｅＮＢ２００とのＲＲＣ接続を確立しており、制御信号をｅＮＢ２００と送受信する。制御信号は、ｅＮＢ２００からＵＥ１００に送信される第１の制御信号（下りリンク制御信号）と、ＵＥ１００からｅＮＢ２００に送信される第２の制御信号（上りリンク制御信号）と、を含む。なお、実施形態では、ＵＥ１００がコネクティッド状態であることを想定しているが、ＵＥ１００はアイドル状態であってもよい。また、実施形態では、第１の制御信号がＵＥ個別に送信されるユニキャスト信号であることを想定しているが、第１の制御信号はブロードキャスト信号（システム情報）であってもよい。ＵＥ１００とｅＮＢ２００との間の接続を適宜「第１の接続」という。ＵＥ１００がコネクティッド状態である場合、第１の接続は、ＲＲＣ接続であってもよい。ＵＥ１００がアイドル状態である場合、第１の接続は、ＲＲＣ層よりも下位層における接続であってもよい。
【００７３】
ＵＥ１００−１は、第１の接続を介してｅＮＢ２００から第１の制御信号を受信し、第１の制御信号に基づいてＵＥ１００−２とのＤ２Ｄ通信を行う。ＵＥ１００−２は、ｅＮＢ２００から第１の制御信号を受信し、第１の制御信号に基づいてＵＥ１００−１とのＤ２Ｄ通信を行う。
【００７４】
ＵＥ１００−１は、有線通信ネットワーク４０と接続されている。ＵＥ１００と有線通信ネットワーク４０との間の接続を適宜「第２の接続（末端での接続）」という。第２の接続（末端での接続）は、ＵＥ１００と、ＵＥ１００と直接的に接続されている装置との間の接続である。実施形態において、ＵＥ１００と直接的に接続されている装置とは、有線通信ネットワーク４０（具体的には、有線通信ネットワーク４０に含まれるルータ等）である。
【００７５】
ＵＥ１００−１は、第２の接続を介して、ＵＥ１００−２宛てのユーザデータ（下りリンクユーザデータ）を有線通信ネットワーク４０から受信する。実施形態では、ＵＥ１００−２宛てのユーザデータは、アプリケーションサーバ３１から送信され、ＥＰＣ２０及び有線通信ネットワーク４０を経由して、ＵＥ１００−２により受信される。
【００７６】
ＵＥ１００−１は、有線通信ネットワーク４０から受信したユーザデータを、Ｄ２Ｄ通信によりＵＥ１００−２に送信するＤ２Ｄデータ中継を行う。ＵＥ１００−２は、ＵＥ１００−１から送信されるユーザデータを受信する。このようにして、ＵＥ１００−２のアプリケーションは、アプリケーションサーバ３１から配信されるデータ（ユーザデータ）を取得する。当該ユーザデータは、映像データなどの大容量データであり得る。このような大容量データをＵＥ１００−１からＵＥ１００−２に送信することにより、大容量データをｅＮＢ２００から送信する場合に比べて、セルラ通信ネットワークのトラフィック負荷（特に、セルラ下りリンク無線リソースの消費量）を大幅に削減可能とすることができる。
【００７７】
ＵＥ１００−１は、Ｄ２Ｄデータ中継時において、ＵＥ１００−２から受信したユーザデータ（上りリンクユーザデータ）を、第２の接続を介して有線通信ネットワーク４０に送信する。よって、当該ユーザデータをＵＥ１００−２からｅＮＢ２００に送信する場合に比べて、セルラ通信ネットワークのトラフィック負荷（特に、セルラ上りリンク無線リソースの消費量）を削減可能とすることができる。
【００７８】
第１の制御信号は、Ｄ２Ｄ通信に割り当てる無線リソースを示す割り当て情報（以下、「Ｄ２Ｄ割り当て情報」という）を含む。ＵＥ１００は、Ｄ２Ｄ割り当て情報により示される無線リソースを使用してＤ２Ｄ通信を行う。
【００７９】
実施形態では、Ｄ２Ｄ通信のリソース割り当てが動的に行われるケースを想定する。例えば、Ｄ２Ｄ割り当て情報は、ＰＤＣＣＨ上でｅＮＢ２００からＵＥ１００に送信される。また、ＵＥ１００は、第１の接続を介してｅＮＢ２００に対して第２の制御信号を送信する。ｅＮＢ２００は、第２の制御信号の受信に応じて、Ｄ２Ｄ割り当て情報を含んだ第１の制御信号をＵＥ１００に送信する。
【００８０】
第２の制御信号は、Ｄ２Ｄ通信のための無線リソースの割り当てを要求するＤ２Ｄスケジューリング要求（ＳＲ：Ｓｃｈｅｄｕｌｉｎｇ  Ｒｅｑｕｅｓｔ）を含む。これにより、ｅＮＢ２００は、必要に応じてＤ２Ｄ通信に無線リソースを割り当てることができる。或いは、第２の制御信号は、Ｄ２Ｄ通信における送信待ちのユーザデータ量を示すＤ２Ｄバッファ状態報告（ＢＳＲ：Ｂｕｆｆｅｒ  Ｓｔａｔｕｓ  Ｒｅｐｏｒｔ）を含む。これにより、ｅＮＢ２００は、必要な量の無線リソースをＤ２Ｄ通信に割り当てることができる。
【００８１】
上述したように、Ｄ２Ｄ通信に割り当て可能な無線リソース（Ｄ２Ｄ無線リソース）は、移動通信システムに割り当てられた上りリンク周波数帯の少なくとも一部である。上りリンク周波数帯は、下りリンク周波数帯に比べてリソース逼迫度が低いケースが多いため、上りリンク周波数帯をＤ２Ｄ通信（Ｄ２Ｄデータ中継）に利用することにより、上りリンク周波数帯の有効活用を図ることができる。
【００８２】
ｅＮＢ２００は、自身の負荷状況、自セル内でＤ２Ｄ通信を行うＵＥ１００の数、自セル内でＤ２Ｄデータ中継能力を有するＵＥ１００の数、後述する通知情報、上述した第２の制御信号の状況（上述したＳＲの数、上述したＢＳＲが示す総データ量）のうち少なくとも１つに基づいて、上りリンク周波数帯においてＤ２Ｄ通信に割り当て可能な無線リソースが占める割合を変更する。「上りリンク周波数帯においてＤ２Ｄ通信に割り当て可能な無線リソースが占める割合」とは、上りリンク周波数帯に含まれる時間リソース（例えば、複数のサブフレーム）のうちＤ２Ｄ通信に割り当て可能な時間リソースが占める割合であってもよいし、上りリンク周波数帯に含まれる周波数リソース（例えば、複数のリソースブロック）のうちＤ２Ｄ通信に割り当て可能な周波数リソースが占める割合であってもよい。また、Ｄ２Ｄ通信に割り当て可能な無線リソースとは、Ｄ２Ｄ通信専用に確保された無線リソースであってもよいし、セルラ通信と共用される無線リソースであってもよい。
【００８３】
例えば、ｅＮＢ２００は、自身の負荷が所定レベルよりも高いこと、自セル内でＤ２Ｄ通信を行うＵＥ１００の数が所定数よりも多いこと、の少なくとも１つに応じて、上りリンク周波数帯においてＤ２Ｄ通信に割り当て可能な無線リソースが占める割合を増やす。なお、ｅＮＢ２００の負荷状況とは、セルラ無線リソースの使用率、又はセルラ通信を行うＵＥ数などである。このように上りリンク周波数帯においてＤ２Ｄ通信に割り当て可能な無線リソースが占める割合を最適化することにより、上りリンク周波数帯の更なる有効活用を図ることができる。
【００８４】
実施形態では、ＵＥ１００−１は、Ｄ２Ｄ通信（Ｄ２Ｄデータ中継）を開始するよりも前において、ＵＥ１００−１と関連付けられた装置情報、ＵＥ１００−１のユーザと関連付けられたユーザ情報、のうち少なくとも１つに基づいて、Ｄ２Ｄデータ中継の可否に関する通知情報をｅＮＢ２００に送信する。装置情報は、有線通信ネットワーク４０に対するＵＥ１００−１の接続状況、電源に対するＵＥ１００−１の接続状況、ＵＥ１００−１のバッテリ残量、ＵＥ１００−１の移動状況、Ｄ２Ｄデータ中継能力の有無のうち少なくとも１つである。ＵＥ１００−１は、装置情報を保持しており、必要に応じて更新する。ユーザ情報は、Ｄ２Ｄデータ中継に対する同意情報、手動操作によるＤ２Ｄデータ中継のオン／オフ状況、のうち少なくとも１つである。
【００８５】
通知情報を受信したｅＮＢ２００は、当該通知情報に基づいて、ＵＥ１００−１に対してＤ２Ｄ通信（Ｄ２Ｄデータ中継）を開始させるべきか否かを判断する。実施形態では、ｅＮＢ２００は、ＵＥ１００−２のデータパスを、ｅＮＢ２００を経由する第１のデータパスからＵＥ１００−１を経由する第２のデータパスへ切り替えるか否かを判断する。
【００８６】
実施形態では、通知情報は、Ｄ２Ｄデータ中継が可能であることを示す情報である。この場合、通知情報を送信するか否かをＵＥ１００−１において判断する。例えば、ＵＥ１００−１は、有線通信ネットワーク４０にＵＥ１００−１が接続したこと、電源にＵＥ１００−１が接続したこと、ＵＥ１００−１のバッテリ残量が多いこと、ＵＥ１００−１が停止中であること、の少なくとも１つに応じて、通知情報を送信すると判断する。これに対し、有線通信ネットワーク４０にＵＥ１００−１が接続していないこと、電源にＵＥ１００−１が接続していないこと、ＵＥ１００−１のバッテリ残量が少ないこと、ＵＥ１００−１が移動中であること、の少なくとも１つに応じて、通知情報を送信しないと判断する。さらに、ＵＥ１００−１は、Ｄ２Ｄデータ中継に対するユーザの同意があること、手動操作によりＤ２Ｄデータ中継がオンに設定されたこと、の少なくとも１つに応じて、通知情報を送信すると判断する。これに対し、Ｄ２Ｄデータ中継に対するユーザの同意がないこと、手動操作によりＤ２Ｄデータ中継がオフに設定されていること、の少なくとも１つに応じて、通知情報を送信しないと判断する。通知情報は、ＵＥ１００−１の識別情報（例えば、Ｃ−ＲＮＴＩ又はＩＭＳＩ）を含む。
【００８７】
或いは、上記のような判断をｅＮＢ２００側で行うようにしてもよい。この場合、通知情報は、装置情報及び／又はユーザ情報を含む情報である。例えば、ｅＮＢ２００は、有線通信ネットワーク４０にＵＥ１００−１が接続したこと、電源にＵＥ１００−１が接続したこと、ＵＥ１００−１のバッテリ残量が多いこと、ＵＥ１００−１が停止中であること、の少なくとも１つに応じて、データパスを切り替えると判断する。これに対し、有線通信ネットワーク４０にＵＥ１００−１が接続していないこと、電源にＵＥ１００−１が接続していないこと、ＵＥ１００−１のバッテリ残量が少ないこと、ＵＥ１００−１が移動中であること、の少なくとも１つに応じて、データパスを切り替えないと判断する。さらに、ｅＮＢ２００は、Ｄ２Ｄデータ中継に対するユーザの同意があること、手動操作によりＤ２Ｄデータ中継がオンに設定されたこと、の少なくとも１つに応じて、データパスを切り替えると判断する。これに対し、Ｄ２Ｄデータ中継に対するユーザの同意がないこと、手動操作によりＤ２Ｄデータ中継がオフに設定されていること、の少なくとも１つに応じて、データパスを切り替えないと判断する。
【００８８】
ｅＮＢ２００は、データパスを切り替えると判断した場合に、Ｄｉｓｃｏｖｅｒｙ処理を開始させるための設定情報をＵＥ１００−１及びＵＥ１００−２のうち少なくとも一方に送信する。当該設定情報は、Ｄｉｓｃｏｖｅｒｙ信号の送信に使用すべき無線リソース、Ｄｉｓｃｏｖｅｒｙ信号の信号系列、Ｄｉｓｃｏｖｅｒｙ信号の送信電力、のうち少なくとも１つの設定パラメータを含む。当該設定情報は、Ｄ２Ｄデータ中継が可能であることを示す情報をＤｉｓｃｏｖｅｒｙ信号に含めるよう設定する設定パラメータを含んでもよい。ＵＥ１００−１は、当該設定情報の受信に応じて、Ｄｉｓｃｏｖｅｒｙ信号を送信する。ＵＥ１００−１が送信するＤｉｓｃｏｖｅｒｙ信号は、Ｄ２Ｄデータ中継が可能であることを示す情報を含む。これにより、当該Ｄｉｓｃｏｖｅｒｙ信号を受信したＵＥ１００−２は、ＵＥ１００−１がＤ２Ｄデータ中継可能であることを把握することができる。
【００８９】
（動作具体例）
図７は、実施形態に係る動作具体例を示すシーケンス図である。
【００９０】
図７に示すように、ステップＳ１０１において、ＵＥ１００−２は、ｅＮＢ２００とのＲＲＣ接続を確立する。すなわち、ＵＥ１００−２は、ｅＮＢ２００との制御信号を送受信するための制御プレーン接続（制御無線ベアラ）を確立する。
【００９１】
ステップＳ１０２において、ＵＥ１００−１は、ｅＮＢ２００とのＲＲＣ接続を確立する。すなわち、ＵＥ１００−１は、ｅＮＢ２００との制御信号を送受信するための制御プレーン接続（制御無線ベアラ）を確立する。
【００９２】
ステップＳ１０３において、ＵＥ１００−２は、セルラ通信ネットワークを介したセルラ通信を利用して、アプリケーションサーバ３１とのデータ送受信を行う。具体的には、ＵＥ１００−１とアプリケーションサーバ３１との間に第１のデータパスが設定されており、当該第１のデータパスは、ＵＥ１００−２とｅＮＢ２００との間のユーザプレーン接続（データ無線ベアラ）と、ｅＮＢ２００とＥＰＣ２０（Ｓ−ＧＷ３００）との間に確立されたＳ１接続（Ｓ１−Ｕベアラ）と、を含む。ＵＥ１００−２が送信するユーザデータは、当該第１のデータパス上でアプリケーションサーバ３１に転送される。また、アプリケーションサーバ３１が送信するユーザデータは、当該第１のデータパス上でＵＥ１００−２に転送される。
【００９３】
ステップＳ１０４において、ＵＥ１００−１は、有線通信ネットワーク４０と接続される。実施形態では、ＵＥ１００−１を所持するユーザがＵＥ１００−１を有線通信ネットワーク４０に接続するケースを想定している。
【００９４】
ステップＳ１０５において、ＵＥ１００−１は、Ｄ２Ｄデータ中継が可能であることを示す通知情報（Ａｖａｉｌａｂｌｅ  Ｉｎｄｉｃａｔｉｏｎ）をｅＮＢ２００に送信してもよい。なお、ＵＥ１００−１は、ｅＮＢ２００からの問い合わせに対応する応答として、通知情報をｅＮＢ２００に送信してもよい。「ｅＮＢ２００からの問い合わせ」は、ブロードキャスト（例えば、ＳＩＢ）で送信されてもよいし、ユニキャスト（例えば、個別ＲＲＣシグナリング）で送信されてもよい。ブロードキャストの場合、ｅＮＢ２００は、Ｄ２Ｄデータ中継が可能であるかを問い合わせるフラグを含むＳＩＢを送信してもよい。そして、Ｄ２Ｄデータ中継が可能なＵＥ１００−１は、当該ＳＩＢを受信した後、ＲＲＣ接続確立メッセージ又はＲＲＣ再設定完了メッセージに通知情報を含めて送信する。ユニキャストの場合、ｅＮＢ２００は、Ｄ２Ｄデータ中継の機能を有するか否かを示すＵＥ能力情報をＵＥ１００−１から受信し、当該ＵＥ能力情報に基づいて、Ｄ２Ｄデータ中継の機能を有するＵＥ１００−１（候補ＵＥ）を特定し、特定したＵＥ１００−１に個別に問い合わせてもよい。ｅＮＢ２００は、当該通知情報に基づいて、ＵＥ１００−２のデータパスを切り替えると判断し、ＵＥ１００−２のデータパスを切り替えるための制御を開始する。
【００９５】
ステップＳ１０６において、ｅＮＢ２００は、Ｄｉｓｃｏｖｅｒｙ処理を開始させるための設定情報（Ｐｒｏｘｉｍｉｔｙ  Ｄｅｔｅｃｔｉｏｎ  Ｃｏｎｆｉｇ．）をＵＥ１００−１に送信してもよい。加えて、ｅＮＢ２００は、設定情報（Ｐｒｏｘｉｍｉｔｙ  Ｄｅｔｅｃｔｉｏｎ  Ｃｏｎｆｉｇ．）をＵＥ１００−２にも送信してもよい。
【００９６】
ステップＳ１０７において、ＵＥ１００−１は、当該設定情報の受信に応じて、Ｄｉｓｃｏｖｅｒｙ信号を送信する。ＵＥ１００−１は、Ｄｉｓｃｏｖｅｒｙ信号の送信開始とともに、同期確立のためのＤ２Ｄ同期信号の送信を開始してもよい。ＵＥ１００−１が送信するＤｉｓｃｏｖｅｒｙ信号は、Ｄ２Ｄデータ中継が可能であることを示す情報を含んでもよい。ＵＥ１００−１からのＤｉｓｃｏｖｅｒｙ信号を受信したＵＥ１００−２は、応答信号をＵＥ１００−１に送信する。ＵＥ１００−１は、当該応答信号に基づいて、近傍ＵＥであるＵＥ１００−２を発見する。
【００９７】
ステップＳ１０８において、ＵＥ１００−２を発見したＵＥ１００−１は、発見したＵＥ１００−２に関する報告をｅＮＢ２００に送信する。
【００９８】
ステップＳ１０９において、ｅＮＢ２００は、当該報告に基づいて、ＵＥ１００−２のデータパスを、ｅＮＢ２００を経由する第１のデータパスからＵＥ１００−１を経由する第２のデータパスへ切り替えることを決定する。このような切り替えにより、ｅＮＢ２００の負荷軽減（オフロード）が図られる。
【００９９】
なお、ステップＳ１０７乃至Ｓ１０９の処理は、次のように変更可能である。具体的には、ＵＥ１００−１及びＵＥ１００−２のそれぞれは、Ｄ２Ｄ同期信号を受信し、当該受信したＤ２Ｄ同期信号に関する報告をｅＮＢ２００に送信し、ｅＮＢ２００が当該報告及び現在の通信状況に基づいて、ステップＳ１０９における判断を行う。この場合、ステップＳ１０８を省略可能である。
【０１００】
ステップＳ１１０において、ｅＮＢ２００は、Ｄ２Ｄデータ中継の実施要求（Ｏｆｆｌｏａｄｉｎｇ  ｒｅｑｕｅｓｔ）をＵＥ１００−１に送信する。ｅＮＢ２００は、当該実施要求（Ｏｆｆｌｏａｄｉｎｇ  ｒｅｑｕｅｓｔ）と共に、該当するＥ−ＲＡＢ（ベアラ）のＴＥＩＤ（Ｓ−ＧＷ  ＩＤ）、ベアラタイプ（分割ベアラ、非分割ベアラ）等を送信してもよい。
【０１０１】
ステップＳ１１１において、ＵＥ１００−１は、当該実施要求を承諾するか否かを判断する。ここでは、ＵＥ１００−１が、当該実施要求を承諾すると判断したと仮定して説明を進める。
【０１０２】
ステップＳ１１２において、ＵＥ１００−１は、当該実施要求を承諾することを示す肯定応答（Ｏｆｆｌｏａｄｉｎｇ  ＡＣＫ）をｅＮＢ２００に送信する。肯定応答（Ｏｆｆｌｏａｄｉｎｇ  ＡＣＫ）は、ＵＥ１００−２に対する新たな設定情報（ｒｅｃｏｎｆｉｇｕｒａｔｉｏｎ情報）を含んでもよい。この場合、当該設定情報は、Ｄ２Ｄ経由（のベアラ）であることを示す情報を含んでもよい。
【０１０３】
なお、ステップＳ１１０乃至Ｓ１１２の処理は、ＵＥ１００−１における判断を不要とするように、次のように変更可能である。具体的には、ステップＳ１１０において、ｅＮＢ２００は、Ｄ２Ｄデータ中継を実施させるためのＲＲＣ  Ｃｏｎｎｅｃｔｉｏｎ  ＲｅｃｏｎｆｉｇｕｒａｔｉｏｎメッセージをＵＥ１００−１に送信する。ＵＥ１００−１は、ステップＳ１１１の判断を行うことなく、ＲＲＣ  Ｃｏｎｎｅｃｔｉｏｎ  Ｒｅｃｏｎｆｉｇｕｒａｔｉｏｎ  ＣｏｍｐｌｅｔｅメッセージをｅＮＢ２００に送信する。
【０１０４】
ステップＳ１１３において、ｅＮＢ２００は、当該肯定応答（又はＲＲＣ  Ｃｏｎｎｅｃｔｉｏｎ  Ｒｅｃｏｎｆｉｇｕｒａｔｉｏｎ  Ｃｏｍｐｌｅｔｅメッセージ）に応じて、ＵＥ１００−２に対するデータ転送状況を示す通知（ＳＮ  Ｓｔａｔｕｓ  Ｔｒａｎｓｆｅｒ）をＵＥ１００−１に送信する。
【０１０５】
ステップＳ１１４において、ｅＮＢ２００は、ＵＥ１００−２に対する未送信データをＵＥ１００−１に転送（Ｄａｔａ  Ｆｏｒｗａｒｄｉｎｇ）する。
【０１０６】
ステップＳ１１５において、ｅＮＢ２００は、ｅＮＢ２００からＵＥ１００−１へのデータパス切り替えを要求する切り替え要求（Ｐａｔｈ  ｓｗｉｔｃｈ  ｒｅｑｕｅｓｔ）をＥＰＣ２０に送信する。切り替え要求は、特定のベアラに関するデータパスの切り替えを要求するものであってもよい。ｅＮＢ２００は、当該切り替え要求に応じて、ｅＮＢ２００からＵＥ１００−１へデータパスを切り替える制御を行う。
【０１０７】
ステップＳ１１６において、ＵＥ１００−１とアプリケーションサーバ３１との間に第２のデータパスが設定される。当該第２のデータパスは、ＵＥ１００−１とＵＥ１００−２との間のユーザプレーン接続（データ無線ベアラ）と、ＵＥ１００−１とＥＰＣ２０との間に確立されたＳ１接続（Ｓ１−Ｕベアラ）又はＧＴＰ−Ｕトンネリング接続と、を含む。
【０１０８】
ステップＳ１１７において、ＥＰＣ２０は、切り替え要求（Ｐａｔｈ  ｓｗｉｔｃｈ  ｒｅｑｕｅｓｔ）に対する肯定応答（Ｐａｔｈ  ｓｗｉｔｃｈ  ＡＣＫ）をｅＮＢ２００に送信する。
【０１０９】
ステップＳ１１８において、アプリケーションサーバ３１は、ＵＥ１００−２宛てのユーザデータをＥＰＣ２０に送信する。
【０１１０】
ステップＳ１１９において、ＥＰＣ２０は、ＵＥ１００−２宛てのユーザデータをＵＥ１００−１に転送する。
【０１１１】
ステップＳ１２０において、ＵＥ１００−１は、ＵＥ１００−２宛てのユーザデータの受信に応じて、Ｄ２Ｄスケジューリング要求（Ｓｃｈｅｄｕｌｉｎｇ  Ｒｅｑｕｅｓｔ）をｅＮＢ２００に送信する。
【０１１２】
ステップＳ１２１において、ｅＮＢ２００は、当該Ｄ２Ｄスケジューリング要求に応じて、Ｄ２Ｄ通信に割り当て可能な無線リソースの中から、ＵＥ１００−１及びＵＥ１００−２のＤ２Ｄ通信のために割り当てる無線リソースを決定（スケジューリング）する。
【０１１３】
ステップＳ１２２において、ｅＮＢ２００は、Ｄ２Ｄ割り当て情報を含んだＤ２Ｄ送信許可（Ｄ２Ｄ  Ｔｘ  ｇｒａｎｔ）をＵＥ１００−１に送信する。
【０１１４】
ステップＳ１２３において、ｅＮＢ２００は、Ｄ２Ｄ割り当て情報を含んだＤ２Ｄ受信割り当て（Ｄ２Ｄ  Ｒｘ  ａｓｓｉｇｎｍｅｎｔ）をＵＥ１００−２に送信してもよい。或いは、ｅＮＢ２００は、Ｄ２Ｄ受信に割り当て可能な無線リソース（Ｄ２Ｄ受信リソースプール）の情報をＵＥ１００−２に送信してもよい。
【０１１５】
ステップＳ１２４において、ＵＥ１００−１は、ｅＮＢ２００から割り当てられた無線リソースを使用して、ＵＥ１００−２宛てのユーザデータをＵＥ１００−２に送信する。ＵＥ１００−２は、ｅＮＢ２００から割り当てられた無線リソースを使用して、自身宛てのユーザデータをＵＥ１００−１から受信する。このように、ＵＥ１００−２は、Ｄ２Ｄ通信（Ｄ２Ｄデータ中継）を利用して、アプリケーションサーバ３１からのデータ受信を行う。
【０１１６】
（実施形態のまとめ）
上述したように、ＵＥ１００−１は、有線通信ネットワーク４０から受信したユーザデータを、Ｄ２Ｄ通信によりＵＥ１００−２に送信するＤ２Ｄデータ中継を行う。ＵＥ１００−２は、ＵＥ１００−１から送信されるユーザデータを受信する。当該ユーザデータは、映像データなどの大容量データであり得る。このような大容量データをＵＥ１００−１からＵＥ１００−２に送信することにより、大容量データをｅＮＢ２００から送信する場合に比べて、セルラ通信ネットワークのトラフィック負荷（特に、セルラ下りリンク無線リソースの消費量）を大幅に削減可能とすることができる。
【０１１７】
［変更例］
上述した実施形態では、ＵＥ１００−１とＥＰＣ２０との間に、ユーザデータを転送するための論理的な通信路（Ｓ１−Ｕインターフェイス）を設定していた。これに対し、実施形態の変更例では、ＵＥ１００−１とｅＮＢ２００との間に、ユーザデータを転送するための論理的な通信路（Ｘｎ−Ｕインターフェイス又はＸ２−Ｕインターフェイス）を確立する。
【０１１８】
図８は、実施形態の変更例に係る動作を説明するための図である。図８に示すように、ＵＥ１００−１とｅＮＢ２００との間に、ユーザデータを転送するための論理的な通信路（Ｘｎ−Ｕインターフェイス）が確立されている。ＵＥ１００−２宛てのユーザデータは、アプリケーションサーバ３１から送信され、ＥＰＣ２０、ｅＮＢ２００及び有線通信ネットワーク４０を経由して、ＵＥ１００−２により受信される。また、アプリケーションサーバ３１宛てのユーザデータは、ＵＥ１００−２から送信され、ＥＰＣ２０、ｅＮＢ２００及び有線通信ネットワーク４０を経由して、アプリケーションサーバ３１により受信される。
【０１１９】
図９は、実施形態の変更例に係る動作を示すシーケンス図である。ステップＳ１０１乃至ステップＳ１１２は上述した実施形態と同様であるため、ステップＳ１１６以降の動作を説明する。
【０１２０】
図９に示すように、ステップＳ１１６において、ＵＥ１００−１とアプリケーションサーバ３１との間に第２のデータパスが設定される。当該第２のデータパスは、ＵＥ１００−１とＵＥ１００−２との間のユーザプレーン接続（データ無線ベアラ）と、ＵＥ１００−１とｅＮＢ２００との間に確立されたＸｎ接続（Ｘｎ−Ｕベアラ）と、ｅＮＢ２００とＥＰＣ２０との間に確立されたＳ１接続（Ｓ１−Ｕベアラ）と、を含む。
【０１２１】
ステップＳ２０１において、アプリケーションサーバ３１は、ＵＥ１００−２宛てのユーザデータをＥＰＣ２０に送信する。
【０１２２】
ステップＳ２０２において、ＥＰＣ２０は、ＵＥ１００−２宛てのユーザデータをｅＮＢ２００に転送する。
【０１２３】
ステップＳ２０３において、ｅＮＢ２００は、ＵＥ１００−２宛てのユーザデータをＰＤＣ層で処理することによりＰＤＣＰ  ＰＤＵ（Ｐｒｏｔｏｃｏｌ  Ｄａｔａ  Ｕｎｉｔ）を生成する。
【０１２４】
ステップＳ２０４において、ｅＮＢ２００は、生成したＰＤＣＰ  ＰＤＵをＵＥ１００−１に転送する。
【０１２５】
ステップＳ２０５において、ｅＮＢ２００は、Ｄ２Ｄ通信に割り当て可能な無線リソースの中から、ＵＥ１００−１及びＵＥ１００−２のＤ２Ｄ通信のために割り当てる無線リソースを決定（スケジューリング）する。
【０１２６】
ステップＳ２０６において、ｅＮＢ２００は、Ｄ２Ｄ割り当て情報を含んだＤ２Ｄ送信許可（Ｄ２Ｄ  Ｔｘ  ｇｒａｎｔ）をＵＥ１００−１に送信する。
【０１２７】
ステップＳ２０７において、ｅＮＢ２００は、Ｄ２Ｄ割り当て情報を含んだＤ２Ｄ受信割り当て（Ｄ２Ｄ  Ｒｘ  ａｓｓｉｇｎｍｅｎｔ）をＵＥ１００−２に送信してもよい。或いは、ｅＮＢ２００は、Ｄ２Ｄ受信に割り当て可能な無線リソース（Ｄ２Ｄ受信リソースプール）の情報をＵＥ１００−２に送信してもよい。
【０１２８】
一方、ＵＥ１００−１はｅＮＢ２００から転送されたユーザデータ（ＰＤＣＰ  ＰＤＵ）をＲＬＣ層、ＭＡＣ層、及び物理層で処理している（ステップＳ２０８）。ステップＳ２０９において、ＵＥ１００−１は、ｅＮＢ２００から割り当てられた無線リソースを使用して、ＵＥ１００−２宛てのユーザデータをＵＥ１００−２に送信する。ＵＥ１００−２は、ｅＮＢ２００から割り当てられた無線リソースを使用して、自身宛てのユーザデータをＵＥ１００−１から受信する。このように、ＵＥ１００−２は、Ｄ２Ｄ通信（Ｄ２Ｄデータ中継）を利用して、アプリケーションサーバ３１からのデータ受信を行う。
【０１２９】
続いて、ＵＥ１００−２からアプリケーションサーバ３１への送信について説明する。ステップＳ２１０において、ＵＥ１００−２は、Ｄ２Ｄスケジューリング要求（Ｓｃｈｅｄｕｌｉｎｇ  Ｒｅｑｕｅｓｔ）をｅＮＢ２００に送信する。
【０１３０】
ステップＳ２１１において、ｅＮＢ２００は、当該Ｄ２Ｄスケジューリング要求に応じて、Ｄ２Ｄ通信に割り当て可能な無線リソースの中から、ＵＥ１００−１及びＵＥ１００−２のＤ２Ｄ通信のために割り当てる無線リソースを決定（スケジューリング）する。
【０１３１】
ステップＳ２１２において、ｅＮＢ２００は、Ｄ２Ｄ割り当て情報を含んだＤ２Ｄ送信許可（Ｄ２Ｄ  Ｔｘ  ｇｒａｎｔ）をＵＥ１００−２に送信する。
【０１３２】
ステップＳ２１３において、ｅＮＢ２００は、Ｄ２Ｄ割り当て情報を含んだＤ２Ｄ受信割り当て（Ｄ２Ｄ  Ｒｘ  ａｓｓｉｇｎｍｅｎｔ）をＵＥ１００−１に送信してもよい。或いは、ｅＮＢ２００は、Ｄ２Ｄ受信に割り当て可能な無線リソース（Ｄ２Ｄ受信リソースプール）の情報をＵＥ１００−１に送信してもよい。
【０１３３】
ステップＳ２１４において、ＵＥ１００−２は、ｅＮＢ２００から割り当てられた無線リソースを使用して、アプリケーションサーバ３１宛てのユーザデータをＵＥ１００−１に送信する。ＵＥ１００−１は、ｅＮＢ２００から割り当てられた無線リソースを使用して、アプリケーションサーバ３１宛てのユーザデータをＵＥ１００−２から受信する。
【０１３４】
ステップＳ２１５において、ＵＥ１００−１は、ＵＥ１００−２から受信したユーザデータを物理層、ＭＡＣ層、及びＲＬＣ層で処理し、ＲＬＣ  ＳＤＵ（Ｓｅｒｖｉｃｅ  Ｄａｔａ  Ｕｎｉｔ）を生成する。
【０１３５】
ステップＳ２１６において、ＵＥ１００−１は、生成したＲＬＣ  ＳＤＵをｅＮＢ２００に転送する。
【０１３６】
ステップＳ２１７において、ｅＮＢ２００は、ＵＥ１００−１から転送されたＲＬＣ  ＳＤＵをＰＤＣＰ層で処理する。
【０１３７】
ステップＳ２１８において、ｅＮＢ２００は、ＰＤＣＰ層で処理されたユーザデータをＥＰＣ２０に転送する。
【０１３８】
ステップＳ２１９において、ＥＰＣ２０は、ｅＮＢ２００から受信したユーザデータをアプリケーションサーバ３１に転送する。
【０１３９】
［その他の実施形態］
上述した実施形態では、アプリケーションサーバ３１からＵＥ１００−１を経由してＵＥ１００−２へのユーザデータ転送を行うケースを主として説明したが、ＵＥ１００−２からＵＥ１００−１を経由してアプリケーションサーバ３１へのユーザデータ転送を行ってもよい。
【０１４０】
上述した実施形態では、ＵＥ１００に設けられたネットワークインターフェイス１７０が有線通信ネットワーク４０と接続されるケースを例示した。しかしながら、ネットワークインターフェイス１７０が、セルラ通信ネットワーク以外の無線通信ネットワークと接続されてもよい。セルラ通信ネットワーク以外の無線通信ネットワークは、無線ＰＡＮ回線(ＵＷＢ等)ネットワーク、無線ＬＡＮ回線ネットワーク、無線ＭＡＮ回線（ＷＭＡＸ等）ネットワーク、衛星回線ネットワーク、若しくはマイクロ波回線ネットワーク、又はこれらの組み合わせである。この場合、第２の接続は、有線接続ではなく、無線接続である。
【０１４１】
或いは、ネットワークインターフェイス１７０が、セルラ通信ネットワークに直接的に接続されてもよい。この場合、第２の接続は、有線接続であってもよいし、無線接続であってもよい。例えば、図６において、ＵＥ１００−１のネットワークインターフェイス１７０は、有線通信ネットワーク４０に代えて、ｅＮＢ２００又はＥＰＣ２０（Ｓ−ＧＷ３００）に接続されてもよい。或いは、図６において、ＵＥ１００−１のネットワークインターフェイス１７０は、ｅＮＢ２００とは異なるｅＮＢに接続されてもよい。
【０１４２】
上述した実施形態では、ＵＥ１００−１を所持するユーザがＵＥ１００−１を有線通信ネットワーク４０に一時的に接続するケースを想定していた。しかしながら、セルラ通信ネットワークのオペレータがＵＥ１００−１を管理し、オペレータがＵＥ１００−１を有線通信ネットワーク４０に永続的に接続してもよい。この場合、ＵＥ１００−１は、超小型のセルとして運用される。このような運用の方法では、ＵＥ１００−１は、ユーザインターフェイス１２０、ＧＮＳＳ受信機１３０、及びバッテリ１４０を有していなくてもよい。
【０１４３】
また、ＵＥ１００−１（及びＥＰＣ２０）は、セルラ通信ネットワーク以外のネットワークにおいて通信の秘匿性（セキュリティ）を担保するために、ＵＥ１００−２のユーザデータを暗号化してもよい。さらに、ＥＰＣ２０は、セルラ通信ネットワーク以外のネットワークに接続したＵＥ１００−１の認証、ＵＥ１００−１とのＤ２Ｄ通信を行うＵＥ１００−２の認証を行ってもよい。
【０１４４】
上述した実施形態では、上りリンク周波数帯において、Ｄ２Ｄ通信に割り当て可能な無線リソース（Ｄ２Ｄ無線リソース）が、セルラ上りリンク通信に割り当て可能な無線リソースとは別に確保されるケースを例示した。しかしながら、上りリンク周波数帯において、Ｄ２Ｄ通信に割り当て可能な無線リソースは、セルラ上りリンク通信に割り当て可能な無線リソースと共用されてもよい。
【０１４５】
また、Ｄ２Ｄ通信に割り当て可能な無線リソースは、上りリンク周波数帯以外の特定の周波数帯において確保されてもよい。特定の周波数帯とは、例えば、公安（Ｐｕｂｌｉｃ  Ｓａｆｅｔｙ）用の周波数帯、免許が不要な周波数帯（Ｕｎｌｉｓｅｎｃｅｄ  ｂａｎｄ）、又は免許が複数の事業者によってシェアされている周波数帯（Ｓｈａｒｅｄ  ｌｉｃｅｎｓｅ  ｓｐｅｃｔｒｕｍ）である。この場合、Ｄ２Ｄ通信には、干渉を自律的に回避するためのキャリアセンス（ｌｉｓｔｅｎ−ｂｅｆｏｒｅ−ｔａｌｋ）を適用することが好ましい。具体的には、ＵＥ１００−１及び／又はＵＥ１００−２は、キャリアセンスの機能を備え、キャリアセンスの結果に基づいて、Ｄ２Ｄ通信に使用する無線リソースを決定する。
【０１４６】
なお、Ｄ２Ｄ通信に割り当て可能な無線リソースは、ｅＮＢ２００が自律的に設定する場合に限らず、ｅＮＢ２００がＥＰＣ２０からの指示又は通知に応じて設定してもよい。
【０１４７】
また、上述した実施形態では、移動通信システムの一例としてＬＴＥシステムを説明したが、ＬＴＥシステムに限定されるものではなく、ＬＴＥシステム以外のシステムに本発明を適用してもよい。
【０１４８】
［相互参照］
日本国特許出願第２０１３−２６４６１７号（２０１３年１２月２０日出願）の全内容が、参照により、本願明細書に組み込まれている。
【産業上の利用可能性】
【０１４９】
本発明は、移動通信分野において有用である。
【図１】
0006488238.tif 000002
【図２】
0006488238.tif 000003
【図３】
0006488238.tif 000004
【図４】
0006488238.tif 000005
【図５】
0006488238.tif 000006
【図６】
0006488238.tif 000007
【図７】
0006488238.tif 000008
【図８】
0006488238.tif 000009
【図９】
0006488238.tif 000010